(57)【要約】【課題】  複数種類のオブジェクトを含みまたはさらに背景を異なるプレーンに形成して統合化した文書データ構造を提供する。【解決手段】  画素ごとに２枚のプレーンのうちの何れかを選択するための情報を、２階調の値として持ち、原文書１００上の所定のオブジェクトを２階調のうちの１階調の塗潰し画像として含む参照イメージＲＥＦと、参照イメージ上の塗潰し画像の画素により選択されるプレーン上の、当該塗潰し画像に対応する画素の値が、原文書１００上における前記所定のオブジェクトの画素値により決定されていることを特徴とする。【選択図】      図１
2005341490.tif 000002
【特許請求の範囲】
【請求項１】
原文書から、ｎ枚のプレーンを抽出し、当該ｎ枚のプレーンを１文書として統合してなる文書データ構造であって、
画素ごとに前記ｎ枚のプレーンのうちの何れかを選択するための情報を、ｍ階調の値として持ち、前記原文書上の所定のオブジェクトを前記ｍ階調のうちの１階調の塗潰し画像として含む参照イメージと、
前記参照イメージ上の塗潰し画像の画素により選択されるプレーン上の、当該塗潰し画像に対応する画素の値が、前記原文書上における前記所定のオブジェクトの画素値により決定されている、
ことを特徴とする文書データ構造。
【請求項２】
前記参照イメージ上の塗潰し画像の画素により選択されるプレーンの解像度が、前記原文書の解像度よりも低い文書データ構造であって、
当該プレーン上の画素の値が、当該画素に対応する前記所定のオブジェクトの画素値により決定されている、
ことを特徴とする請求項１に記載の文書データ構造。
【請求項３】
前記参照イメージ上の塗潰し画像の画素により選択されるプレーンの解像度が、前記原文書の解像度よりも低い文書データ構造であって、
前記プレーン上の画素に対応する前記原文書上のタイルにおける塗潰し画像の画素値により、前記プレーン上の画素値が決定されていることを特徴とする請求項１または２に記載の文書データ構造。
【請求項４】
前記原文書上のオブジェクトが、前記ｎ枚のプレーンに分けられて抽出され、または前記ｎ枚のプレーンおよび前記参照イメージ上に分けられて抽出されていることを特徴とする請求項１から３の何れかに記載の文書データ構造。
【請求項５】
前記ｎ枚のプレーンは、前記原文書上のオブジェクトの種類に応じた方法により符号化されていることを特徴とする請求項１から４の何れかに記載の文書データ構造。
【請求項６】
前記ｎ枚のプレーンの少なくとも１つが、他のプレーンの符号化方法とは異なる符号化方法により符号化されていることを特徴とする請求項１から５の何れかに記載の文書データ構造。
【請求項７】
原文書から、ｎ枚のプレーンを抽出するプレーン画像抽出手段と、
画素ごとに前記ｎ枚のプレーンのうちの何れかを選択するための情報をｍ階調の値として持ち、前記原文書上の所定のオブジェクトを前記ｍ階調のうちの１階調の塗潰し画像として含む参照イメージを作成する参照イメージ作成手段と、
前記ｎ枚のプレーンおよび前記参照イメージを符号化する符号化手段と、
を備えた文書変換装置であって、
前記プレーン画像抽出手段は、
前記参照イメージ上の塗潰し画像の画素により選択されるプレーン上の、当該塗潰し画像に対応する画素の値を、前記原文書上における前記塗潰し画像の画素値により決定すること、
を特徴とする文書変換装置。
【請求項８】
前記プレーン画像抽出手段が、前記参照イメージ上の塗潰し画像の画素により選択されるプレーンの解像度を、前記原文書の解像度よりも低い画像として抽出する文書変換装置であって、
前記プレーン画像抽出手段は、
前記プレーン上の画素に対応する前記原画像上のタイルにおける塗潰し画像の画素値のばらつきに応じて、前記プレーン画像上の画素を決定する、
ことを特徴とする請求項７に記載の文書変換装置。
【請求項９】
前記プレーン画像抽出手段が、前記参照イメージ上の塗潰し画像の画素により選択されるプレーンの解像度を、前記原文書の解像度よりも低い画像として抽出する文書変換装置であって、
前記プレーン画像抽出手段は、
前記プレーン上の画素に対応する前記原画像上のタイルにおける塗潰し画像の画素値のばらつきを判断し、当該ばらつきが小さいときには、前記タイルにおける塗潰し画像の画素値の平均値に応じて、前記プレーン画像上の画素を決定し、
前記ばらつきが大きいときには、より小さいサイズのタイルにおける前記塗潰し画像の画素値のばらつきを判断し、当該ばらつきが小さいときには、前記タイルにおける塗潰し画像の画素値の平均値に応じて、前記プレーン画像上の画素を決定する、
ことを特徴とする請求項７または８に記載の文書変換装置。
【請求項１０】
前記プレーン画像抽出手段は、前記原文書上のオブジェクトを、前記ｎ枚のプレーンに分けて抽出し、または前記ｎ枚のプレーンおよび前記参照イメージ上に分けて抽出することを特徴とする請求項７から９の何れかに記載の文書変換装置。
【請求項１１】
前記符号化手段は、前記ｎ枚のプレーンまたはさらに前記参照イメージを、前記原文書上のオブジェクトの種類に応じた方法により符号化することを特徴とする請求項７から１０の何れかに記載の文書変換装置。
【請求項１２】
前記符号化手段は、前記ｎ枚のプレーンの少なくとも１つを、他のプレーンの符号化方法とは異なる符号化方法により符号化することを特徴とする請求項７から１１の何れかに記載の文書変換装置。
【請求項１３】
前記符号化手段により符号化された前記参照イメージおよび前記ｎ枚のプレーンをデータセットに統合する統合手段を備えたことを特徴とする請求項７から１２の何れかに記載の文書変換装置。
【請求項１４】
画像加工または画像補正を行う加工手段を備えたことを特徴とする請求項７から１３の何れかに記載の文書変換装置。
【請求項１５】
請求項１から５に記載のデータ構造の文書データを取得し、当該文書から文書の復元を行う文書復元装置であって、
前記文書データを前記ｎ枚のプレーンおよび前記参照イメージに分解し、これらプレーンおよび参照イメージに復号化処理を施す文書分解・復号化手段と、
前記参照イメージの画素を走査するスキャン手段と、
前記スキャン手段により走査された画素に付与されたｍ階調の値を取得する階調値取得手段と、
前記ｍ階調の値に対応する前記プレーンを特定するプレーン特定手段と、
前記参照イメージの画素の位置に与えられている画素に対応する前記プレーン特定手段により特定されたプレーン上の値を抽出する画素値抽出手段と、
前記参照イメージの各画素に対応する、復元されるべき画像上の画素に、前記画素値抽出手段により抽出した画素値を割り当てて文書の復元を行う文書復元手段と、
を備えたことを特徴とする文書復元装置。
【請求項１６】
前記ｎ枚のプレーンのうち１枚または複数枚を指定するプレーン除外手段を備え、
指定されたプレーンは、前記プレーン特定手段による特定処理の対象には含めないことで、必要なオブジェクトだけを復元画像に表示することを特徴とする請求項１５に記載の文書復元装置。
【請求項１７】
原文書から、ｎ枚のプレーンを抽出するプレーン画像抽出ステップと、
画素ごとに前記ｎ枚のプレーンのうちの何れかを選択するための情報をｍ階調の値として持ち、前記原文書上の所定のオブジェクトを前記ｍ階調のうちの１階調の塗潰し画像として含む参照イメージを作成する参照イメージステップと、
前記ｎ枚のプレーンおよび前記参照イメージを符号化する符号化ステップと、
を含む文書変換方法であって、
前記プレーン画像抽出ステップにおいては、
前記参照イメージ上の塗潰し画像の画素により選択されるプレーン上の、当該塗潰し画像に対応する画素の値を、前記原文書上における前記塗潰し画像の画素値により決定すること、
を特徴とする文書変換方法。
【請求項１８】
前記プレーン画像抽出ステップにおいて、前記参照イメージ上の塗潰し画像の画素により選択されるプレーンの解像度を、前記原文書の解像度よりも低い画像として抽出する文書変換方法であって、
前記プレーン画像抽出ステップにおいては、
前記プレーン上の画素に対応する前記原画像上のタイルにおける塗潰し画像の画素値のばらつきに応じて、前記プレーン画像上の画素を決定する、
ことを特徴とする請求項１７に記載の文書変換方法。
【請求項１９】
前記プレーン画像抽出ステップにおいて、前記参照イメージ上の塗潰し画像の画素により選択されるプレーンの解像度を、前記原文書の解像度よりも低い画像として抽出する文書変換方法であって、
前記プレーン画像抽出ステップにおいて、
前記プレーン上の画素に対応する前記原画像上のタイルにおける塗潰し画像の画素値のばらつきを判断し、当該ばらつきが小さいときには、前記タイルにおける塗潰し画像の画素値の平均値に応じて、前記プレーン画像上の画素を決定し、
前記ばらつきが大きいときには、より小さいサイズのタイルにおける前記塗潰し画像の画素値のばらつきを判断し、当該ばらつきが小さいときには、前記タイルにおける塗潰し画像の画素値の平均値に応じて、前記プレーン画像上の画素を決定する、
ことを特徴とする請求項１７または１８に記載の文書変換方法。
【請求項２０】
前記プレーン抽出ステップにおいては、前記原文書上のオブジェクトを、前記ｎ枚のプレーンに分けて抽出し、または前記ｎ枚のプレーンおよび前記参照イメージ上に分けて抽出することを特徴とする請求項１７または１９の何れかに記載の文書変換方法。
【請求項２１】
前記符号化ステップにおいては、前記ｎ枚のプレーンまたはさらに前記参照イメージを、前記原文書上のオブジェクトの種類に応じた方法により符号化することを特徴とする請求項１７から２０の何れかに記載の文書変換方法。
【請求項２２】
前記符号化ステップにおいては、前記ｎ枚のプレーンの少なくとも１つを、他のプレーンの符号化方法とは異なる符号化方法により符号化することを特徴とする請求項１７から２１の何れかに記載の文書変換方法。
【請求項２３】
前記符号化ステップにおいて符号化された前記参照イメージおよび前記ｎ枚のプレーンをデータセットに統合する統合化ステップを備えたことを特徴とする請求項１７から２２の何れかに記載の文書変換方法。
【請求項２４】
画像加工または画像補正を行う加工ステップを含むことを特徴とする請求項１７から２３の何れかに記載の文書変換方法。
【請求項２５】
請求項１から５に記載のデータ構造の文書を取得し、当該文書から文書の復元を行う文書復元方法であって、
前記データ構造の文書をｎ枚のプレーンおよび参照イメージに復号化する復号化ステップと、
前記参照イメージの画素を走査し、走査された画素に付与されたｍ階調の値を取得する階調値取得ステップと、
前記ｍ階調の値に対応する前記プレーンを特定するプレーン特定ステップと、
前記プレーン特定ステップにおいて特定された前記プレーン上の前記画素の位置に与えられている画素値を抽出して文書の復元を行う文書復元ステップと、
を含むことを特徴とする文書復元方法。
【請求項２６】
前記ｎ枚のプレーンのうち１枚または複数枚を指定するプレーン除外ステップを備え、
指定されたプレーンは、前記プレーン特定手段による特定の対象には含めないことで、必要なオブジェクトだけを画像化することを特徴とする請求項２５に記載の文書復元方法。
【請求項２７】
請求項１７から２３の何れかに記載の文書変換方法における各ステップを含むコンピュータで実行可能な文書変換プログラム。
【請求項２８】
請求項２４または２５に記載の画像復元方法における各ステップを含むコンピュータで実行可能な文書復元プログラム。
【請求項２９】
請求項２７に記載の文書変換プログラムおよび／または請求項２８に記載の文書復元プログラムを格納したコンピュータに読み取り可能な記録媒体。
【発明の詳細な説明】
【技術分野】
【０００１】
本発明は、複数のプレーンにオブジェクトの種類に応じた画像を形成し、参照イメージに与えられた階調値により何れかのプレーンを選択することで高い圧縮率を実現すること技術に関する。
【背景技術】
【０００２】
従来、入力画像をエッジ部と非エッジ部とに分離し、それぞれ異なる符号化方式で符号化し、符号化後の出力を分離結果に応じて切り替える技術が知られている（特開２００３−１３４３４４）。この画像処理技術では、エッジ部と非エッジ部との２つの切替のみを行っており、３つ以上には対応していない。
【０００３】
また、入力多値画像から２値画像を生成し、２値画像データを解析して文字部を抽出し、多値画像の中の抽出した文字部に対応する画素を、周辺画素の画素値で置換する（特開２００３−０４６７４６）。
【０００４】
黒画素データに対応する多値画像データを平均色データで置換も、文字領域を消去して空のフォームを作っているだけで、元画像の再現を行っているわけではない。
【特許文献１】特開２００３−１３４３４４
【特許文献２】特開２００３−０４６７４６
【発明の開示】
【発明が解決しようとする課題】
【０００５】
しかし、特許文献１，２，３の技術では、基本的に、画面分割は文字と背景の二種に分割されるに過ぎず、たとえば、原画像のうちの３種類以上のオブジェクトについて符号化等を行うことができない。
【０００６】
本発明の目的は、複数種類のオブジェクトを含みまたはさらに背景を異なるプレーンに形成して統合化した文書データ構造を提供することにある。
【０００７】
本発明の他の目的は、複数種類のオブジェクトを含みまたはさらに背景を含む画像を、それぞれ複数のプレーンに分割することで高い圧縮率を実現することができる文書変換装置、文書変換方法、文書変換プログラムおよび当該プログラムが格納された記録媒体を提供することにある。
【０００８】
本発明の他の目的は、複数種類のオブジェクトを含みまたはさらに背景を異なるプレーンに形成して統合化した画像を元画像に復元することができる文書復元装置、文書復元方法、文書復元プログラムおよび当該プログラムが格納された記録媒体を提供することにある。
【課題を解決するための手段】
【０００９】
本発明の文書データ構造は、原文書から、ｎ枚のプレーンを抽出し、当該ｎ枚のプレーンを１文書として統合してなるものであって、画素ごとに前記ｎ枚のプレーンのうちの何れかを選択するための情報を、ｍ階調の値として持ち、前記原文書上の所定のオブジェクトを前記ｍ階調のうちの１階調の塗潰し画像として含む参照イメージと、前記参照イメージ上の塗潰し画像の画素により選択されるプレーン上の、当該塗潰し画像に対応する画素の値が、前記原文書上における前記所定のオブジェクトの画素値により決定されていることを特徴とする。
【００１０】
本発明の文書データ構造は、前記参照イメージ上の塗潰し画像の画素により選択されるプレーンの解像度が、前記原文書の解像度よりも低いものであって、当該プレーン上の画素の値が、当該画素に対応する前記所定のオブジェクトの画素値により決定されていることを特徴とする。
【００１１】
本発明の文書データ構造は、前記参照イメージ上の塗潰し画像の画素により選択されるプレーンの解像度が、前記原文書の解像度よりも低いものであって、前記プレーン上の画素に対応する前記原文書上のタイルにおける塗潰し画像の画素値により、前記プレーン上の画素値が決定されていることを特徴とする。
【００１２】
本発明の文書データ構造は、前記原文書上のオブジェクトが、前記ｎ枚のプレーンに分けられて抽出され、または前記ｎ枚のプレーンおよび前記参照イメージ上に分けられて抽出されていることを特徴とする。
【００１３】
本発明の文書データ構造は、前記ｎ枚のプレーンは、前記原文書上のオブジェクトの種類に応じた方法により符号化されていることを特徴とする。
【００１４】
本発明の文書データ構造は、前記ｎ枚のプレーンの少なくとも１つが、他のプレーンの符号化方法とは異なる符号化方法により符号化されていることを特徴とする。
【００１５】
本発明の文書変換装置は、原文書から、ｎ枚のプレーンを抽出するプレーン画像抽出手段と、画素ごとに前記ｎ枚のプレーンのうちの何れかを選択するための情報をｍ階調の値として持ち、前記原文書上の所定のオブジェクトを前記ｍ階調のうちの１階調の塗潰し画像として含む参照イメージを作成する参照イメージ作成手段と、前記ｎ枚のプレーンおよび前記参照イメージを符号化する符号化手段とを備えたものであって、前記プレーン画像抽出手段は、前記参照イメージ上の塗潰し画像の画素により選択されるプレーン上の、当該塗潰し画像に対応する画素の値を、前記原文書上における前記塗潰し画像の画素値により決定することを特徴とする。
【００１６】
本発明の文書変換装置では、前記プレーン画像抽出手段は、前記参照イメージ上の塗潰し画像の画素により選択されるプレーンの解像度を、前記原文書の解像度よりも低い画像として抽出することができ、前記プレーン画像抽出手段は、前記プレーン上の画素に対応する前記原画像上のタイルにおける塗潰し画像の画素値のばらつきに応じて、前記プレーン画像上の画素を決定することができる。
【００１７】
本発明の文書変換装置では、前記プレーン画像抽出手段は、前記参照イメージ上の塗潰し画像の画素により選択されるプレーンの解像度を、前記原文書の解像度よりも低い画像として抽出することができ、前記プレーン画像抽出手段は、前記プレーン上の画素に対応する前記原画像上のタイルにおける塗潰し画像の画素値のばらつきを判断し、当該ばらつきが小さいときには、前記タイルにおける塗潰し画像の画素値の平均値に応じて、前記プレーン画像上の画素を決定し、前記ばらつきが大きいときには、より小さいサイズのタイルにおける前記塗潰し画像の画素値のばらつきを判断し、当該ばらつきが小さいときには、前記タイルにおける塗潰し画像の画素値の平均値に応じて、前記プレーン画像上の画素を決定することをができる。
【００１８】
本発明の文書変換装置では、前記プレーン画像抽出手段は、前記原文書上のオブジェクトを、前記ｎ枚のプレーンに分けて抽出し、または前記ｎ枚のプレーンおよび前記参照イメージ上に分けて抽出することができる。
【００１９】
本発明の文書変換装置では、前記符号化手段は、前記ｎ枚のプレーンまたはさらに前記参照イメージを、前記原文書上のオブジェクトの種類に応じた方法により符号化することができる。
【００２０】
本発明の文書変換装置では、前記符号化手段は、前記ｎ枚のプレーンの少なくとも１つを、他のプレーンの符号化方法とは異なる符号化方法により符号化することをができる。
【００２１】
本発明の文書変換装置では、前記符号化手段により符号化された前記参照イメージおよび前記ｎ枚のプレーンをデータセットに統合する統合手段を備えることができる。
【００２２】
本発明の文書変換装置では、画像加工または画像補正を行う加工手段を備えたことができる。
【００２３】
本発明の文書復元装置は、請求項１から５に記載のデータ構造の文書データを取得し、当該文書から文書の復元を行うものであって、前記文書データを前記ｎ枚のプレーンおよび前記参照イメージに分解し、これらプレーンおよび参照イメージに復号化処理を施す文書分解・復号化手段と、前記参照イメージの画素を走査するスキャン手段と、前記スキャン手段により走査された画素に付与されたｍ階調の値を取得する階調値取得手段と、前記ｍ階調の値に対応する前記プレーンを特定するプレーン特定手段と、前記参照イメージの画素の位置に与えられている画素に対応する前記プレーン特定手段により特定されたプレーン上の値を抽出する画素値抽出手段と、前記参照イメージの各画素に対応する、復元されるべき画像上の画素に、前記画素値抽出手段により抽出した画素値を割り当てて文書の復元を行う文書復元手段とを備えたことを特徴とする。
【００２４】
本発明の文書復元装置では、前記ｎ枚のプレーンのうち１枚または複数枚を指定するプレーン除外手段を備え、指定されたプレーンは、前記プレーン特定手段による特定処理の対象には含めないことで、必要なオブジェクトだけを復元画像に表示することができる。
【００２５】
本発明の文書変換方法は、原文書から、ｎ枚のプレーンを抽出するプレーン画像抽出ステップと、画素ごとに前記ｎ枚のプレーンのうちの何れかを選択するための情報をｍ階調の値として持ち、前記原文書上の所定のオブジェクトを前記ｍ階調のうちの１階調の塗潰し画像として含む参照イメージを作成する参照イメージステップと、前記ｎ枚のプレーンおよび前記参照イメージを符号化する符号化ステップとを含むものであって、前記プレーン画像抽出ステップにおいては、
前記参照イメージ上の塗潰し画像の画素により選択されるプレーン上の、当該塗潰し画像に対応する画素の値を、前記原文書上における前記塗潰し画像の画素値により決定することを特徴とする。
【００２６】
本発明の文書変換方法では、前記プレーン画像抽出ステップにおいて、前記参照イメージ上の塗潰し画像の画素により選択されるプレーンの解像度を、前記原文書の解像度よりも低い画像として抽出することができ、前記プレーン画像抽出ステップにおいては、前記プレーン上の画素に対応する前記原画像上のタイルにおける塗潰し画像の画素値のばらつきに応じて、前記プレーン画像上の画素を決定することができる。
【００２７】
本発明の文書変換方法では、前記プレーン画像抽出ステップにおいて、前記参照イメージ上の塗潰し画像の画素により選択されるプレーンの解像度を、前記原文書の解像度よりも低い画像として抽出することができ、前記プレーン画像抽出ステップにおいて、前記プレーン上の画素に対応する前記原画像上のタイルにおける塗潰し画像の画素値のばらつきを判断し、当該ばらつきが小さいときには、前記タイルにおける塗潰し画像の画素値の平均値に応じて、前記プレーン画像上の画素を決定し、前記ばらつきが大きいときには、より小さいサイズのタイルにおける前記塗潰し画像の画素値のばらつきを判断し、当該ばらつきが小さいときには、前記タイルにおける塗潰し画像の画素値の平均値に応じて、前記プレーン画像上の画素を決定することができる。
【００２８】
本発明の文書変換方法では、前記プレーン抽出ステップにおいては、前記原文書上のオブジェクトを、前記ｎ枚のプレーンに分けて抽出し、または前記ｎ枚のプレーンおよび前記参照イメージ上に分けて抽出することができる。
【００２９】
本発明の文書変換方法では、前記符号化ステップにおいては、前記ｎ枚のプレーンまたはさらに前記参照イメージを、前記原文書上のオブジェクトの種類に応じた方法により符号化することができる。
【００３０】
本発明の文書変換方法では、前記符号化ステップにおいては、前記ｎ枚のプレーンの少なくとも１つを、他のプレーンの符号化方法とは異なる符号化方法により符号化することができる。
【００３１】
本発明の文書変換方法では、前記符号化ステップにおいて符号化された前記参照イメージおよび前記ｎ枚のプレーンをデータセットに統合する統合化ステップを備えることができる。
【００３２】
本発明の文書変換方法では、画像加工または画像補正を行う加工ステップを含むことができる。
【００３３】
本発明の文書復元方法は、上記のデータ構造の文書を取得し、当該文書から文書の復元を行うものであって、前記データ構造の文書をｎ枚のプレーンおよび参照イメージに復号化する復号化ステップと、前記参照イメージの画素を走査し、走査された画素に付与されたｍ階調の値を取得する階調値取得ステップと、前記ｍ階調の値に対応する前記プレーンを特定するプレーン特定ステップと、前記プレーン特定ステップにおいて特定された前記プレーン上の前記画素の位置に与えられている画素値を抽出して文書の復元を行う文書復元ステップとを含むことを特徴とする。
【００３４】
本発明の文書復元方法では、前記ｎ枚のプレーンのうち１枚または複数枚を指定するプレーン除外ステップを備え、指定されたプレーンは、前記プレーン特定手段による特定の対象には含めないことで、必要なオブジェクトだけを画像化することができる。
【００３５】
本発明の文書変換プログラムは、上記文書変換方法における各ステップを実行するコンピュータで実行可能なプログラムであり、本発明の文書復元プログラムは上記画像復元方法における各ステップを実行するコンピュータで実行可能なプログラムであり、これらのプログラムは、ピュータに読み取り可能な記録媒体に格納することができる。
【発明の効果】
【００３６】
本発明によれば、カラー画像にかかる文書を、画質を大幅に低下させずに、そのファイルサイズを小さくすることができる。また、再現された文書において、文字、罫線、単色で構成される図形などの視認性を保つことができ、さらにグラデュエーションを持つ画像にも適用できる。また、文書画像を複数のプレーンと参照イメージとに分けるので、必要なオブジェクトだけ表示させたり、送信することができる。
【発明を実施するための最良の形態】
【００３７】
〔第１実施形態〕
図１（Ａ），（Ｂ）は第１実施形態の文書データ構造を示す説明図である。
【００３８】
図１（Ｂ）に示すように、文書データＤＤは、図１（Ａ）に示す原文書１００から抽出したｎ枚（本実施形態ではｎ＝２）のプレーンＰＬＮ（１），ＰＬＮ（２）と、参照イメージＲＥＦとが統合されて構成されている。
【００３９】
原文書１００は、図１（Ａ）に示すように、８ビットのカラー画像１０１と、黒の塗り潰し文字およびグレイの塗り潰し文字１０２とからなる。
【００４０】
本実施形態では、原文書１００に表示された画像は、図１（Ｂ）に示すように、当該画像に記載されたオブジェクトに応じて、プレーンＰＬＮ（１），ＰＬＮ（２）に分けて抽出されている。参照イメージＲＥＦは、画素ごとにプレーンＰＬＮ（１），ＰＬＮ（２）のうちの１つを選択するための情報をｍ階調（本実施形態ではｍ＝２）の値Ａ１，Ａ２として持っている。たとえば、Ａ１：「０」、Ａ２：「１」とすることができる。本実施形態では、参照イメージＲＥＦは、原文書１００上の文字オブジェクトをｍ階調のうちの１階調の塗潰し画像を含んでいる。この塗潰し画像は、本実施形態では、文字である。
【００４１】
本実施形態では、プレーンＰＬＮ（１）はたとえば８ビットのカラー画像であり写真等の圧縮に適した方法により符号化されている。
【００４２】
プレーンＰＬＮ（２）は、単純な形状の塗潰し画像の圧縮に適した方法により符号化されており、参照イメージＲＥＦの塗潰し画像（文字）に対応する画素の値が、原文書上におけるオブジェクト（文字）の画素値により決定されている。
【００４３】
参照イメージＲＥＦは、文字（イメージ画像またはテキストコードにより表された画像）であり文字の圧縮に適した方法により符号化されている。
【００４４】
プレーンＰＬＮ（１）はカラー画像であるので、ＪＰＥＧ，ＪＰＥＧ２０００などの圧縮方式の適用が好適である。また、プレーンＰＬＮ（２）も、ＪＰＥＧ，ＪＰＥＧ２０００などの圧縮方式を適用できる。参照イメージＲＥＦは、文字画像であるのでＭＭＲ圧縮とすることが好ましい。
【００４５】
本実施形態では、図１（Ａ），（Ｂ）に示されるように、参照イメージＲＥＦの解像度は原文書１００の解像度と同じであり、プレーンＰＬＮ（２）の解像度は、参照イメージＲＥＦの解像度よりも低く設定されている。
【００４６】
プレーンＰＬＮ（２）の低解像を低くする場合には、単純に間引きや平均値で低解像度化した画像の画素値を決めると都合が悪いことがある。たとえば、プレーンＰＬＮ（２）は文字の色を再現するための画像であるので、文字以外の画素値がプレーンＰＬＮ（２）に混入することは好ましくないからである。すなわち、文字以外の部分は黒などの単色で適当に値を決めた画素値であるので、この画素値を低解像度化されたプレーンＰＬＮ（２）の画像に反映するのは適当でない。
【００４７】
図２（Ａ），（Ｂ），（Ｃ）は、プレーンＰＬＮ（２）の低解像度化処理の説明図である。図２（Ａ）はプレーンＰＬＮ（２）上の画素の値を示し、図２（Ｂ）は（Ａ）の参照イメージＲＥＦの画素値から、プレーンＰＬＮ（２）上の画素の値を決定するための平均値算出用画像ＧＡを示し、図２（Ｃ）はプレーンＰＬＮ（２）上の画素値を示している。平均値算出用画像ＧＡは、原文書１００の、文字オブジェクトの画素値のみを抽出したものであり、プレーンＰＬＮ（２）上の画素の値は、平均値算出用画像ＧＡの３×３画素のタイルに含まれる文字オブジェクトの画素値の平均として与えられる。
【００４８】
図２（Ｂ）では、参照イメージＲＥＦの白画素については、プレーンＰＬＮ（１）の画素値が選択され、黒画素については、プレーンＰＬＮ（２）上の画素の値（文字オブジェクトの画素値平均値：図では濃いグレイ）が選択される。
【００４９】
図３は、第１実施形態の文書変換装置を示すブロック図であり、この文書変換装置により図１（Ｂ）に示す構造の文書データＤＤを作成することができる。
【００５０】
図３において、文書変換装置１１は、プレーン画像抽出手段１１１と、参照イメージ作成手段１１２と、加工手段１１３と、符号化手段１１４と、統合手段１１５とを備えている。
【００５１】
プレーン画像抽出手段１１１は、原文書１００から、符号化方法に応じた２枚のプレーンＰＬＮ（１），ＰＬＮ（２）を抽出することができる。
【００５２】
本実施形態では、プレーンＰＬＮ（１）はカラー画像である。また、ＰＬＮ（２）では、オブジェクトの原文書１００上での色がカラーである場合に、ＰＬＮ（２）上のオブジェクトを平均値したカラーとしている。また、参照イメージＲＥＦは、白黒画像である。
【００５３】
本実施形態では、プレーンＰＬＮ（１）にはカラー写真等が抽出され、プレーンＰＬＮ（２）には文字が抽出されるが、これらの抽出に際してのオブジェクトの峻別（文字の抽出、背景の抽出）の技術は周知であるので説明はしない。
【００５４】
参照イメージ作成手段１１２は、参照イメージＲＥＦを作成することができる。
【００５５】
加工手段１１３は、画像加工または画像補正（解像度変換，フィルタリング処理，明度補正，色調補正，ノイズ除去）を行うことができる。通常この処理により、符号化に際して、圧縮率が高くなる。
【００５６】
たとえば、プレーンＰＬＮ（２）は、復元文書１００′上で、文字の色だけがわかればよい。したがって、プレーンＰＬＮ（２）上の解像度が低く設定されている。また、参照イメージＲＥＦ上のオブジェクトは、文字であるので、プレーンＰＬＮ（２）の解像度を低下させても視認性はさほど低下しない。なお、参照画像ＲＥＦについて、文字認識処理を行えば、テキストコードが得られる。これを、最終的に生成される一連のデータセットに関連付けて（通常、テキストデータをデータセットに含めて）おけば、復元文書１００において、テキストコードによる検索を行うことができる。
【００５７】
また、補間処理等により、解像度を高くする画像処理を行ってもよい。ファイルサイズは大きくなるが写真部などが重要な場合は画質の向上となる。参照イメージＲＥＦは、本実施形態では、ドットピッチの変更は行わないが、この変更を行うようにもできる。
【００５８】
参照イメージＲＥＦについては、微小な黒画素の連結成分を消去するなどの方法でノイズ除去を行うことができ、これにより符号化に際しての圧縮率が高くなる。
【００５９】
なお、文書がどのよう使われるかに応じて、各プレーンの加工処理を適宜決定できる。たとえば、写真が重要だと考えた場合にはプレーンＰＬＮ（１）の解像度を低くしないようにすればよいし、逆に、写真はあまり重要でない場合には、プレーンＰＬＮ（１）の解像度を低くし、プレーンＰＬＮ（２）の解像度を高めにすればよい。これらは、画質と最終的な情報のサイズとのトレードオフであるので、用途に応じて決定する。
【００６０】
符号化手段１１４は、プレーンＰＬＮ（１），ＰＬＮ（２）および参照イメージＲＥＦを、原文書１００上のオブジェクトの種類に応じた方法（当該オブジェクトの圧縮に好適な方法であり、各プレーンで異なる）により符号化することができる。
【００６１】
統合手段１１５は、符号化手段１１３により符号化された参照イメージＲＥＦおよびｎ枚のプレーンＰＬＮ（１），ＰＬＮ（２）をデータセットに統合することができる。なお、統合に際して、各プレーンが、どのような属性を持つかの情報（たとえば、写真等のビットマップ画像、文字、背景等の情報）を、データセットに含めておくことで、たとえば、後述する文書復元に際して、操作者にとって不要なプレーンをプレーン除外手段２１３を用いて除外することができる。これにより、画像表現の際、ある特定のプレーンだけを見ることもできる。この場合は不要な情報は不可視となるので、文書が見やすくなる。また、データ通信に際しては、適宜不要と思われるプレーンをデータセットから除外することで、送受信するデータ量を少なくする（これにより、送受信時間を短くする）ことができる。
【００６２】
図４は、第１実施形態の文書変換方法を示す説明図である。この文書変換方法は、図３の文書変換装置１１を用いて実施することができる。
【００６３】
図４において、まず原文書１００から、符号化方法に応じた２枚のプレーンＰＬＮ（１），ＰＬＮ（２）を抽出する（プレーン抽出ステップ：Ｓ１０１）。このプレーン抽出ステップＳ１０１においては、原文書１００上のオブジェクトを、２枚のプレーンＰＬＮ（１），ＰＬＮ（２）に分けて抽出する。
【００６４】
つぎに、各画素に２階調の値Ａ１，Ａ２が付与され、２階調の値に応じて２枚のプレーンＰＬＮ（１），ＰＬＮ（２）うちの何れかを特定するための参照イメージＲＥＦを作成する（参照イメージ作成ステップ：Ｓ１０２）。、
さらに、２枚のプレーンＰＬＮ（１），ＰＬＮ（２）について、画像加工または画像補正（解像度変換，フィルタリング処理，明度補正，色調補正，ノイズ除去）を行う（加工ステップ：Ｓ１０３）。プレーンＰＬＮ（２）については、上述した解像度変換が行われる。
【００６５】
この後、２枚のプレーンＰＬＮ（１），ＰＬＮ（２）および参照イメージＲＥＦを符号化する（符号化ステップ：Ｓ１０４）。符号化ステップＳ１０４では。２枚のプレーンＰＬＮ（１），ＰＬＮ（２）および参照イメージＲＥＦは、原文書１００上のオブジェクト（本実施形態では文字）の種類に応じた方法により符号化する。本実施形態では、２枚のプレーンは、それぞれ異なる符号化方法で符号化している。
【００６６】
そして、符号化ステップＳ１０４において符号化された参照イメージＲＥＦおよび２枚のプレーンＰＬＮ（１），ＰＬＮ（２）をデータセットに統合する。
【００６７】
なお、プレーンＰＬＮ（１）の、原文書１００上の文字に対応する画素は、周囲の代表的な色で置き換えることができる。また、プレーンＰＬＮ（２）の参照されない領域の画素値を、所定の画素値（たとえば、白、黒等）に置き換えることもできる。
【００６８】
これにより、符号化に際して圧縮効率を向上させることができる。
【００６９】
図５は、第１実施形態の文書復元装置を示す説明図である。
【００７０】
図５において、文書復元装置２１は、文書分解・復号化手段２１１と、階調値取得手段２１２と、プレーン除外手段２１３と、プレーン特定手段２１４と、文書復元手段２１５とを備えている。本実施形態において文書復元装置２１は、文書データＤＤを取得し、当該文書データから原文書１００を復元することができる。
【００７１】
文書分解・復号化手段２１１は、文書データＤＤに復号化処理を施し、２枚のプレーンプレーンＰＬＮ（１），ＰＬＮ（２）と参照イメージＲＥＦを生成することができる。
【００７２】
階調値取得手段２１２は、参照イメージＲＥＦの画素を走査し、走査された画素に付与されている２階調の値Ａ１，Ａ２の何れかを取得することができる。
【００７３】
プレーン除外手段２１３は、２枚のプレーンＰＬＮ（１），ＰＬＮ（２）のうち１枚または２枚のプレーンを処理対象から外すことができる。プレーン除外手段２１３により除外されたプレーンは、プレーン特定手段２１４による特定の対象には含めないことで、必要なオブジェクトだけを再現画像１００′上に表示することができる。
【００７４】
プレーン特定手段２１４は、２階調の値Ａ１，Ａ２の値に対応するプレーンＰＬＮ（１），ＰＬＮ（２）を特定することができる。
【００７５】
文書復元手段２１５は、参照イメージＲＥＦの画素の位置に与えられている、画素に対応するプレーン特定手段２１４により特定されたプレーン上の値を抽出し、文書の復元を行い、復元文書１００′を得ることができる。
【００７６】
プレーンＰＬＮ（２）上でカラーが定義されている場合において、参照イメージＲＥＦの画素の階調値がＡ２であるときには、復元文書１００′にはプレーンＰＬＮ（２）上で定義された色が反映される。
【００７７】
図６は、第１実施形態の文書復元方法を示す説明図である。この文書復元方法は、図５の文書復元装置２１を用いて実施することができる。
【００７８】
図６において、まず文書データＤＤを、２枚のプレーンＰＬＮ（１），ＰＬＮ（２）および参照イメージＲＥＦに分解し、これらに復号化処理を施す（文書分解・復号化ステップ：Ｓ２０１）。
【００７９】
参照イメージＲＥＦの画素を走査し、各画素に付与された２階調の値Ａ１，Ａ２を取得する（階調値取得ステップ：Ｓ２０２）。
【００８０】
所定対象となるプレーンを除外する（プレーン除外ステップ：Ｓ２０３）。
【００８１】
２階調の値Ａ１，Ａ２に対応するプレーンを特定する（プレーン特定ステップ：Ｓ２０４）。
【００８２】
プレーン特定ステップＳ２０４において特定されたプレーン上の画素の位置に与えられている画素値を抽出し、復元文書１００′を生成する（文書復元ステップ：Ｓ２０５）。
〔第２実施形態〕
図７（Ａ），（Ｂ），（Ｃ）は、プレーンＰＬＮ（２）の低解像度化処理に変更を加えた実施形態の説明図である。図７（Ａ）はプレーンＰＬＮ（２）上の画素の値を示し、図７（Ｂ）は（Ａ）の参照イメージＲＥＦの画素値から、プレーンＰＬＮ（２）上の画素の値を決定するための平均値算出用画像ＧＡを示し、図７（Ｃ）はプレーンＰＬＮ（２）上の画素値を示している。
【００８３】
平均値算出用画像ＧＡは、原文書１００の、文字オブジェクトの画素値のみを抽出したものであり、プレーンＰＬＮ（２）上の画素の値は、平均値算出用画像ＧＡの８×８画素のタイルＴに含まれる文字オブジェクトの画素値の平均として与えられる。
【００８４】
図７（Ｂ）では、参照イメージＲＥＦの白画素については、プレーンＰＬＮ（１）の画素値が選択され、黒画素については、プレーンＰＬＮ（２）上の画素の値（文字オブジェクトの画素値平均値：図では濃いグレイ）が選択される。
【００８５】
平均値算出用画像ＧＡ上の８×８画素のタイルＴ内の、文字に相当する画素のばらつきが小さいときにはプレーンＰＬＮ（２）上の対応する画素の値は同一色に丸められる。また、タイルＴ内の画素値のばらつきが大きいときには、より小さいサイズのタイル（たとえば、２×２画素のタイル）におけるばらつきを判断し、当該ばらつきが小さいときには当プレーンＰＬＮ（２）上の対応する画素の値は同一色に丸めることができる。
【００８６】
図８に上記したプレーンＰＬＮ（２）を低解像度化する処理を示すフローチャートである。
【００８７】
まず、平均値算出用画像ＧＡ上で８×８画素に相当するタイルＴを選択する（Ｓ３０１）。次に、タイルＴ内の文字位置に相当する画素を抽出し（Ｓ３０２）、該当する画素があるか否かを判断する（Ｓ３０３）。
【００８８】
ステップＳ３０３において、タイルＴ内の文字位置に相当する画素がないときは、プレーンＰＬＮ(２)の画素に所定の画素値を付与し（Ｓ３０４）、プレーンＰＬＮ（２）の全画素ついて画素値付与を終えたか否かを判断する（Ｓ３１０）。
【００８９】
ステップＳ３０３において、タイルＴ内の文字位置に相当する画素があるときは、当該各画素値の平均および分散を計算し（Ｓ３０５）、分散が所定値よりも大きいか否かを判断する（Ｓ３０６）。分散が所定値よりも大きいときは、平均値算出用画像ＧＡ上の８×８画素のタイルＴを２×２画素のタイルに再分割し（Ｓ３０７）、再分割したタイル内の文字に相当する画素の画素値の平均値をプレーンＰＬＮ（２）の画素に付与し（Ｓ３０８）、プレーンＰＬＮ（２）の全画素ついて画素値付与を終えたか否かを判断する（Ｓ３１０）。
【００９０】
ステップＳ３０６において、分散が所定値よりも大きいときは、８×８画素のタイルＴ内の文字相当画素の画素値の平均値をＰＬＮ（２）の画素に付与し、プレーンＰＬＮ（２）の全画素ついて画素値付与を終えたか否かを判断する（Ｓ３１０）。
【００９１】
Ｓ３１０において、プレーンＰＬＮ（２）の全画素ついて画素値付与を終えたときは低解像度化処理を終了する。
【００９２】
本実施形態では、原文書１００の色のばらつきを判断して、ばらついている場合はもっと細かい単位で着色を行えば、色が混ざることもない。また、本実施形態では、着色単位を選択的に変化させているので、画質を落とすことなく、圧縮効率を高める効果が期待できる。
【００９３】
なお、色のばらつきを求める方法としては、分散によるもののほかに、無彩色を持つ画素と有彩色を持つ画素の比率を用いてもよい。この場合は、有彩色と無彩色のどちらか一方が支配的に多い場合以外に、色のばらつきが大きいと判断する。無彩色の判断は、ある画素の色が（Ｒ，Ｇ，Ｂ）である場合に、あらかじめ定めておいた閾値ｔｈとの間に
｜Ｒ−Ｇ｜＜ｔｈ  かつ  ｜Ｇ−Ｂ｜＜ｔｈかつ｜Ｂ−Ｒ｜＜ｔｈ
の関係が成り立つ場合に無彩色と判断する方法などが考えられる。
【００９４】
このような、無彩色と有彩色の比率を用いる方法では、有彩色同士が混合している場合は色が混合してしまうが、分散計算に必要な乗算が不要であるので計算のためのコストが小さくて済むという利点がある。
【図面の簡単な説明】
【００９５】
【図１】第１実施形態の文書データ構造を示す説明図であり、（Ａ）は原文書を示す図、（Ｂ）は各プレーンと参照イメージとが統合された文書データを示す図である。
【図２】プレーンＰＬＮ（２）の低解像度化処理の説明図であり、（Ａ）はプレーンＰＬＮ（２）上の画素の値を示し、（Ｂ）は（Ａ）の参照イメージＲＥＦの画素値から、プレーンＰＬＮ（２）上の画素の値を決定するための平均値算出用画像ＧＡを示し、（Ｃ）はプレーンＰＬＮ（２）上の画素値を示す図である。
【図３】第１実施形態の文書変換装置を示すブロック図である。
【図４】第１実施形態の文書変換方法を示す説明図である。
【図５】第１実施形態の文書復元装置を示す説明図である。
【図６】第１実施形態の文書復元方法を示す説明図である。
【図７】図２のプレーンＰＬＮ（２）の低解像度化処理に変更を加えた処理の説明図であり、（Ａ）はプレーンＰＬＮ（２）上の画素の値を示し、（Ｂ）は（Ａ）の参照イメージＲＥＦの画素値から、プレーンＰＬＮ（２）上の画素の値を決定するための平均値算出用画像ＧＡを示し、（Ｃ）はプレーンＰＬＮ（２）上の画素値を示す図である。
【図８】プレーンＰＬＮ（２）を低解像度化する処理を示すフローチャートである。
【符号の説明】
【００９６】
１１  文書変換装置
２１  文書復元装置
１００  原文書  
１００′  復元文書
１０１  カラー画像
１０２  文字
１０３  背景
１１１  プレーン画像抽出手段
１１２  参照画像作成手段
１１３  補正手段
１１４  符号化手段
１１５  統合手段
２１１  文書分解・復号化手段
２１２  階調値取得手段
２１３  プレーン除外手段
２１４  プレーン特定手段
２１５  文書復元手段
ＤＤ  文書データ
Ａ  階調値
ＰＬＮ（ｘ）（ｘは、正の整数）  プレーン
ＲＥＦ  参照イメージ
【図１】
2005341490.tif 000003
【図２】
2005341490.tif 000004
【図３】
2005341490.tif 000005
【図４】
2005341490.tif 000006
【図５】
2005341490.tif 000007
【図６】
2005341490.tif 000008
【図７】
2005341490.tif 000009
【図８】
2005341490.tif 000010